【事件の表示】
　上記当事者間の登録第４６１８６３０号商標の商標登録無効審判事件について、次のとおり審決する。
【結　論】
　登録第４６１８６３０号の登録を無効とする。
　審判費用は被請求人の負担とする。
【理　由】
第１．本件商標
　本件登録第４６１８６３０号商標（以下「本件商標」という。）は、平成１３年１１月１３日に登録出願され、「メバプラチン」の文字を横書きしてなり、第５類「薬剤」を指定商品として、平成１４年１１月８日に設定登録されたものである。
　
第２．請求人の引用する商標
　請求人が本件商標の登録無効の理由に引用する登録第２０４９５５８号商標は、「メバロチン」の文字を横書きしてなり、昭和６１年１月２０日に登録出願され、第１類「化学品（他の類に属するものを除く）薬剤、医療補助品」を指定商品として、昭和６３年５月２６日に設定登録されたもので
ある。
　同じく登録第２０６９６２７号商標は、「ＭＥＶＡＬＯＴＩＮ」の文字を横書きしてなり、昭和６１年１月２０日に登録出願され、第１類「化学品（他の類に属するものを除く）薬剤、医療補助品」を指定商品として、昭和６３年８月２９日に設定登録されたものである。
　同じく登録第２４４８９２２号商標は、別掲（１）に示すとおりの構成よりなり、平成元年１０月２７日に登録出願され、第１類「化学品（他の類に属するものを除く）薬剤、医療補助品」を指定商品として、平成４年８月３１日に設定登録されたものであり、その後、指定商品については、平成１４年３月２２日にした書換登録申請により、第１類、第２類、第３類、第４類、第５類、第８類、第９類、第１０類、第１６類、第１９類、第２１類及び第３０類に属する商標登録原簿に記載のとおりの指定商品として、平成１４年４月１７日に書換登録されたものである。
　同じく登録第２４４８９２３号商標は、別掲（２）に示すとおりの構成よりなり、平成元年１０月２７日に登録出願され、第１類「化学品（他の類に属するものを除く）薬剤、医療補助品」を指定商品として、平成４年８月３１日に設定登録されたものであり、その後、指定商品については、平成１４年３月２２日にした書換登録申請により、第１類、第２類、第３類、第４類、第５類、第８類、第９類、第１０類、第１６類、第１９類、第２１類、第３０類に属する商標登録原簿に記載のとおりの指定商品として、平成１４年４月１７日に書換登録されたものである。（以下、３件を一括して「引用商標」という。）
　　
第３．請求人の主張
　請求人は、本件商標の登録は無効とすべきものとする、審判費用は被請求人の負担とする、との審決を求めると申し立て、その理由を要旨次のように述べ、証拠方法として甲第１号証ないし甲第３３号証を提出した。　
　本件商標は、商標法第４条第１項第１１号及び同第１５号に違反して登録されたものであるから、同法第４６条第１項（第１号）の規定に基づいて、その登録は、以下の理由により無効とされるべきものである。
１．本件商標と引用商標との類否について
　本件商標と引用商標とを比較検討してみるに、両者の構成は、それぞれ前記のとおりであるから、前者からは、「メバプラチン」の称呼を生ずるものであるのに対して、後者からは、「メバロチン」の称呼を生ずるものである。
　しかして、本件商標より生ずる「メバプラチン」の称呼と引用商標より生ずる「メバロチン」の称呼とは、文字により構成された商標における自他商品を識別するための標識としての機能を果す場合において、最も重要な要素となる語頭部分における「メ」、「バ」及び語尾部分の「チ」、「ン」の４音を全く同じくしているものであり、語中央部において「プラ」音対「ロ」音の差異を有するものではあるが、該差異音とても、「ラ」音と「ロ」音は、共に子音「ｒ」を共通にする、同じラ行に属する舌音であって、調音方法及び発音の仕方を同じくする近似した音であるから、これに、弱音の「プ」音を付加したにすぎない該差異音が、両者の全体的称呼に及ぼす影響は、決して大きなものではなく、したがって、両者を全体として、一連に称呼した場合には、その全体の語調、語感が極めて近似したものとなり、これらに接する聴者をして、彼此の称呼を聞き誤らせるおそれの充分にある、互いに相紛らわしい称呼であるといわざるを得ない。
　してみれば、両商標が、薬剤について使用される場合には、その構成中の語頭部分の「メバ」の文字部分は、後半部の「プラチン」及び「ロチン」の文字部分に比して、自他商品の識別力を果す最も重要な部分、所謂、商標の要部若しくは商標の基幹部分というべきものである。更に、薬剤等の商標として、「メバ」の音で始まるものは、引用商標のみであることからも、本件商標をその指定商品である「薬剤」について使用をするときは、観念的な連想を惹きおこし易い、その基幹部分「メバ」を共通にし、しかも、薬剤の商標の接尾語として、我国においては、比較的好まれてありふれて採択使用されている文字の「ン」をも共通とする点からも、請求人の製造・販売する商品「高脂血症用薬剤」に使用する引用商標「メバロチン」を連想させ、これに接する取引者・需要者は、請求人のシリーズ商標若しくは姉妹商品として、請求人の製造・販売に係るものと誤認し、その商品の出所につき混同を生じさせるおそれがある。
２．引用商標の周知、著名性について　
　引用商標は、請求人の業務に係る商品「高脂血症用薬剤」（動脈硬化用薬剤）に付されて使用され、平成１年の発売以来、その売上高は、当初の７０億円（市場占有率１７．５％）から、その売上を延ばし、同１１年度には、１２８８億円（市場占有率５３．９％）にものぼり、「高脂血症用薬剤」の単品商品が、売出しからの僅か１１年間で、１兆５９億円にも達している事実がある（甲第１１号証、請求人の商品「メバロチン」の平成１年から同１１年度までの売上高及び市場占有率一覧表）。
　また、上記商品の宣伝広告活動も、広告代理店、株式会社丹水社を通じて、活発かつ盛大に行っており、その宣伝広告費も、単品商品「高脂血症用薬剤」の金額としては、平成１年に１６００万円台であったものが、同１４年は１０月までに２１００万円台を投じ、発売以来の１４年間で、４億３０００万円以上もの広告費をかけているものである（甲第１２号証、株式会社丹水社の平成１年から同１４年までの「メバロチン」広告掲載金額一覧表及び甲第１３号証、同上の雑誌出稿一覧表）。
　その他にも、「メバロチン」に関して、株式会社医薬広告社を通じて平成７年４月から同１４年１０月までの広告出稿一覧表（甲第１４号証）、協和企画株式会社を通じて１９９５年度から２００１年度にかけての広告出稿一覧表（甲第１５号証）及び株式会社東宣を通じて１９９５年度から２００２年度にかけての広告出稿一覧表（甲第１６号証）がある。
　したがって、引用商標は、請求人の業務に係る商品「高脂血症用薬剤」を表示するためのものとして、この種商品を取り扱う業界における取引者及び需要者の間において、極めて広く認識されている、周知、著名な商標であるから、これと相紛らわしい本件商標を、その指定商品である「薬剤」について使用をするときには、これらに接する取引者及び需要者をして、その商品が、請求人の業務に係る商品であるかの如く誤認し、その商品の出所につき混同を生じさせるおそれがある。
　請求人の上記主張理由の正当性を立証すべく、本件事案とその判断の軌を一にする審決例及び判決例（甲第１７号証ないし同第２０号証）を挙げる。
　上記の事実を勘案するとき、薬剤の商標として「メバ」の音で始まるものは、引用商標の外には存在しないことから、これに、薬剤の商標の接尾語として、我国においては、比較的好まれてありふれて使用されている文字の「ン」を共通にする本件商標は、被請求人の創作に係る商標であるというよりは、むしろ、引用商標の著名性に、明らかに只乗りする意図の下に出願された商標である。
　請求人は、このような事実を立証するものとして、平成１５年６月３０日発行の「読売新聞」（朝刊）に掲載された記事を、甲第２１号証として、提出する。
　更に、請求人は、請求人の引用商標の周知、著名性を立証すべく、宣伝広告を掲載した具体的な誌名等について、甲第２３号証ないし同第３２号証を提出する。
　以上の証拠方法によって、先に述べたとおり、請求人は、引用商標を、斯界における、最も有効な媒体（雑誌等）を用いて、継続的、かつ、定期的に反復した宣伝広告に努めた結果、引用商標は、請求人の業務に係る商品「高脂血症用薬剤」を表示するためのものとして、取引者及び需要者の間において、極めて広く認識された周知、著名な商標であるといえる。
３．むすび　
　してみれば、本件商標は、引用商標と称呼の点において、互いに彼此相紛らわしい類似の商標であるといわなければならず、かつ、本件商標の指定商品である「薬剤」は、引用商標のそれに包含されていること明らかなところであり、また、引用商標が、請求人の業務に係る商品「高脂血症用薬剤」を表示するためのものとして、取引者及び需要者の間において、極めて広く認識されている周知、著名な商標であり、本件商標をその指定商品である「薬剤」について使用をするときは、これらに接する取引者及び需要者をして、その商品が、請求人の取り扱いに係る商品と誤認し、その商品の出所につき混同を生じさせるおそれの充分にある商標であるから、結局、本件商標は、商標法第４条第１項第１１号及び同第１５号に違反して登録されたものである。
　したがって、本件商標は、商標法第４６条第１項（第１号）の規定に基づいて、その登録は、無効とされるべきものである。
　　　　　
第４．被請求人の主張
　被請求人は、何ら答弁していない。
　
第５．当審の判断
　請求人より提出された甲第３号証、同第５号証、同第７号証、同第９号証（引用商標の商標公報）、同第４号証、同第６号証、同第８号証、同第１０号証（引用商標の商標登録原簿）、同第１１号証（請求人の商品「メバロチン」の平成元年から同１４年までの売上高及び市場占有率一覧表）、同第１２号証（株式会社丹水社の「メバロチン」の平成１年から同１４年までの広告掲載金額一覧表）、同第１３号証（「メバロチン」の平成１年から同１４年までの雑誌出稿金額）、同第１４号証ないし同第１６号証（「メバロチン」の１９９５年度から２００２年度までの広告出稿一覧表）、同第２３号証（「メバロチン」の１９８９年から２０００年までの商品販売促進用のリーフレット）、同第２６号証（薬事日報社発行の１９９０年から２０００年までの「医薬品・医療衛生用品価格表」抜粋）、同第２７号証（国際商業出版株式会社発行の１９９０年から１９９７年までの「国際医薬品情報」抜粋）、同第２８号証（国際商業出版株式会社発行の２０００年度版ないし２００２年度版の「製薬企業の実態と中期展望」抜粋）、同第２９号証（株式会社ライフサイエンス・メディカ発行の１９９０年から２０００年までの雑誌「ＰＲＯＧＲＥＳＳ　ＭＥＤＩＣＩＮＥ」抜粋）、同第３０号証（社団法人日本薬学会発行の１９８９年から２０００年までの「ファルマシア　くすりの科学」抜粋）及び同第３１号証（日本医師会発行の１９９０年から２０００年までの「日本医師会雑誌」抜粋）によれば、請求人は、「メバロチン」の文字及び「ＭＥＶＡＬＯＴＩＮ」の文字からなる商標を、第１類「化学品（他の類に属するものを除く）薬剤、医療補助品」を指定商品として、昭和６３年５月２６日及びに昭和６３年８月２９日に商標登録していること、また、「ＭＥＶＡＬＯＴＩＮ」の文字と図形を結合してなる商標を、「薬剤」を含む第５類ほか多区分（１１区分）にわたる商品を指定商品として、平成４年８月３１日に商標登録していることが認められる。
　さらに、請求人の業務に係る商品「高脂血症用薬剤」（動脈硬化用薬剤）について「メバロチン」及び「ＭＥＶＡＬＯＴＩＮ」文字からなる商標を付して平成元年の発売以来、単品商品としては相当な費用をかけて宣伝、広告してきたこと、その売上実績は当初（平成１年）の７０億円（市場占有率１７．５％）から、その売り上げを延ばし、平成１１年度には、１２８８億円（市場占有率５３．９％）にも達しており、平成２年度から平成１１年度までの高脂血症用剤市場における売上高の第１位を占めていることが認められる（甲第１１号証）。
　以上の事実を総合すると、引用商標は、平成元年から請求人の取扱に係る商品「高脂血症用薬剤」（動脈硬化用薬剤）を製造、販売して以来、相当な費用をかけて宣伝、広告してきた結果、本件商標の登録出願（平成１３年１１月１３日）時には、既に医薬品業界においては、取引者、需要者の間で、請求人の取扱に係る上記商品の商標として広く認識され、周知・著名な商標になっていたものと認められる。
　また、甲第２６号証（薬事日報社発行の「医薬品・医療衛生用品価格表」抜粋）によれば、少なくとも平成２年８月発行から平成１２年８月発行までの間には、「メバ」（「ＭＥＶＡ」）を語頭に有する薬剤の商標は、請求人が販売する「メバロチン」、「ＭＥＶＡＬＯＴＩＮ」の商標以外に掲載されていないこと、また、語尾の「ン」は、薬剤の商標の接尾語として、我が国において多数使用されている語であることが認められる。
　そして、語頭の「メバ」及び「ＭＥＶＡ」は、特定の意味合いを看取させない造語と認められるものである。
　そこで、「メバプラチン」の文字よりなる本件商標と請求人の使用する引用商標とを比較するに、両者は、いずれも特定の意味合いを看取させない造語商標と認められるものであって、その語頭部分の「メバ」と語尾部分の「チン」を共通にし、中間部において「ロ」と「プラ」の差異を有するものである。しかして、前者の「ロ」と後者の「ラ」は共にラ行に属する舌音であって、これに「プ」が付されているものの、それぞれを一連に称呼した場合には、共に「メバ」で始まり「チン」で終わる「メバ…チン」の音感、音調が強く印象に残るものであって、加えて、前記で認定したとおり、「メバ」が薬剤の商標の語頭として殆ど使用されていない語（響き）であることから、両商標が薬剤に使用された場合には、その構成中の「メバ…チン」の文字部分が、比較的記憶・印象に残りにくい中間部の文字部分に比べて、強く印象付けられ、自他商品の識別力が強く商標識別の重要な要素を占めるものといわなければならない。
　してみれば、被請求人が本件商標をその指定商品である「薬剤」に使用した場合には、前記認定のとおり、これに接する取引者・需要者は、「メバ」及び「チン」の文字部分に着目してこの部分から引用商標を連想又は想起し、該商品が請求人又は請求人と何らかの関係する者に係る商品であるかの如く、その出所について混同を生ずるおそれがあるものと判断するのが相当である。
　したがって、本件商標は、同法第４条第１項第１５号に違反して登録されたものというべきであるから同法第４６条第１項の規定により、その登録を無効とすべきものである。
　よって、結論のとおり審決する。